(57)【要約】【課題】小屋組のトラスの一端側から斜め下方にトラス軒先部が延設された住宅の桁側面への増築工事で、既存住宅の増築部側を構造的に補強するために、既存住宅の桁画面の軒先に沿って軒先梁を新たに設置する必要がある場合、既存住宅の小屋組、軒裏等を全面的に解体することなく、軒先梁を設置することで、省力化、コストダウン、施工期間の短縮、及び産業廃棄物の削減を可能とする軒先梁設置工法を提供する。【解決手段】既存住宅の前記軒先梁を追加する桁側面のトラス軒先部の軒先側部を切除し、相隣接するトラスの軒先側の端部に、軒先梁接続部を有する羽根部材と、登り梁束接続部材と、直交梁接続部材とを具備する軒先梁設置金具を前記軒先梁接続部を相対向させてそれぞれ配設し、相対向するこれら軒先梁接続部に、軒先梁の両端部を接続した。【選択図】　　　図２６
2004060394.tif 000002
【特許請求の範囲】
【請求項１】
小屋組のトラスの一端側から斜め下方にトラス軒先部が延設された住宅の桁側面への増築工事で、既存住宅の桁側面の軒先に沿って軒先梁を新たに追加する軒先梁設置工法であって、既存住宅の前記軒先梁を追加する桁側面のトラス軒先部の軒先側部を切除し、相隣接するトラスの軒先側の端部に、前記トラスのウエブに接合するウエブ接合部と該ウエブ接合部から直角方向に突設された軒先梁接続部とを有する羽根部材と、上方へ設置する登り梁束の一端部を固定するための登り梁束固定部を有する登り梁束接続部材と、増築部側へ設置する直交梁の一端部を固定するための直交梁接続部と、前記登り梁束接続部材を固定するための登り梁束接続部とを有する直交梁接続部材とを具備する軒先梁設置金具を前記軒先梁接続部を相対向させてそれぞれ配設し、相対向するこれら軒先梁接続部に、軒先梁の両端部を接続することを特徴とする軒先梁設置工法。
【請求項２】
小屋組のトラスの一端側から斜め下方にトラス軒先部が延設された住宅の桁側面への増築工事で、既存住宅の桁側面の軒先に沿って軒先梁を新たに追加する軒先梁設置工法であって、既存住宅の前記軒先梁を追加する桁側面のトラス軒先部を切除し、相隣接するトラスの軒先側の端部に、前記トラスのウエブに接合するウエブ接合部と該ウエブ接合部から直角方向に突設された軒先梁接続部とを有する羽根部材と、新規に設置される谷木梁の一端部に固定される谷木梁プレートと、増築部側へ設置する直交梁の一端部を固定するための直交梁接続部と、前記谷木梁プレートを固定するための谷木梁接続部と、入隅部へ向かって設置する腕木入隅の一端部を固定するための腕木入隅接続部とを有する直交梁接続部材とを具備する軒先梁設置金具を前記軒先梁接続部を相対向させてそれぞれ配設し、相対向するこれら軒先梁接続部に、軒先梁の両端部を接続することを特徴とする軒先梁設置工法。
【発明の詳細な説明】
【０００１】
【発明の属する技術分野】
本発明は、住宅の桁側面への増築工事に際し、既存住宅の増築部側を構造的に補強するために、既存住宅の桁側面の軒先に沿って軒先梁を新たに追加する工法に関するものである。
【０００２】
【従来の技術】
小屋組のトラスの一端側から斜め下方にトラス軒先部が延設された住宅の桁側面に増築する場合、既存住宅の増築部側を構造的に補強するために、その桁側面の軒先に沿って軒先梁を新たに追加する必要がある。この場合、トラスが邪魔になって軒先梁を追加することが困難である等の理由から、小屋組、軒裏等を全体的に解体し、軒先梁の設置に対応した寸法のトラス等を設置し直す必要がある。
【０００３】
またこれと同様に、軒先側に葺き下ろし梁を設けて増築する場合も、軒先梁を追加する必要があり、小屋組、軒裏等を全体的に解体した後、軒先梁及び葺き下ろし梁の設置に対応した新たな小屋組みを設置し直す必要がある。
【０００４】
【発明が解決しようとする課題】
しかし、前記のような従来の軒先梁設置工法は、既存住宅の小屋組、軒裏等を全体的に解体し、軒先梁の設置に対応した寸法のトラス等を設置し直す必要があるため、多くの時間と労力を要し、増築施工コストが高くなる、という問題がある。
【０００５】
また、増築施工期間中であっても、多くの場合、既存住宅側で顧客が生活するため、できる限り短期間で施工を終了する事が望ましいが、小屋組等を全体的に解体してトラスの交換等を行うと、どうしても施工期間が長くなる、という問題もある。
【０００６】
更に、解体した既存住宅のトラス等が、産業廃棄物として大量に発生し、これを運搬、処理するために多くの費用がかかる、という問題もある。
【０００７】
本発明は、前記課題に鑑みてなされたものであり、住宅の増築工事において、小屋組、軒裏等を全体的に解体することなく軒先梁を設置することで、省力化、コストダウン、施工期間の短縮、及び産業廃棄物の削減を可能とする軒先梁設置工法を提供することを目的とする。
【０００８】
【課題を解決するための手段】
前記技術課題を解決するための具体的手段は、次のようなものである。すなわち、請求項１に記載する軒先梁設置工法は、小屋組のトラスの一端側から斜め下方にトラス軒先部が延設された住宅の桁側面への増築工事で、既存住宅の桁側面の軒先に沿って軒先梁を新たに追加する軒先梁設置工法であって、既存住宅の前記軒先梁を追加する桁側面のトラス軒先部の軒先側部を切除し、相隣接するトラスの軒先側の端部に、前記トラスのウエブに接合するウエブ接合部と該ウエブ接合部から直角方向に突設された軒先梁接続部とを有する羽根部材と、上方へ設置する登り梁束の一端部を固定するための登り梁束固定部を有する登り梁束接続部材と、増築部側へ設置する直交梁の一端部を固定するための直交梁接続部と、前記登り梁束接続部材を固定するための登り梁束接続部とを有する直交梁接続部材とを具備する軒先梁設置金具を前記軒先梁接続部を相対向させてそれぞれ配設し、相対向するこれら軒先梁接続部に、軒先梁の両端部を接続することを特徴としている。
【０００９】
請求項２に記載する軒先梁設置工法は、小屋組のトラスの一端側から斜め下方にトラス軒先部が延設された住宅の桁側面への増築工事で、既存住宅の桁側面の軒先に沿って軒先梁を新たに追加する軒先梁設置工法であって、既存住宅の前記軒先梁を追加する桁側面のトラス軒先部を切除し、相隣接するトラスの軒先側の端部に、前記トラスのウエブに接合するウエブ接合部と該ウエブ接合部から直角方向に突設された軒先梁接続部とを有する羽根部材と、新規に設置される谷木梁の一端部に固定される谷木梁プレートと、増築部側へ設置する直交梁の一端部を固定するための直交梁接続部と、前記谷木梁プレートを固定するための谷木梁接続部と、入隅部へ向かって設置する腕木入隅の一端部を固定するための腕木入隅接続部とを有する直交梁接続部材とを具備する軒先梁設置金具を前記軒先梁接続部を相対向させてそれぞれ配設し、相対向するこれら軒先梁接続部に、軒先梁の両端部を接続することを特徴としている。
【００１０】
【発明の実施の形態】
以下、本発明の第１の実施形態に係る軒先梁設置工法について図面に基づいて説明する。この実施形態は、図１に示すように、既存住宅の桁側面の軒先に沿って、既存のトラス１の両側方に軒先梁２を設置し、且つ、増築部側に該軒先梁２と略直交する方向へ直交梁３を設置する必要がある場合の軒先梁設置工法であって、図２に示す手順で、トラス軒先部４に前処理を施し、図５に示すような、ウエブ跨ぎ部５と、軒先梁接続部６と、直交梁接続部７と、底部８を有する軒先梁設置金具９を、相隣接する前記トラス１の軒先側の端部に、前記軒先梁接続部６を相対向させてそれぞれ配設し、相対向する前記軒先梁接続部６に、前記軒先梁２の両端部を接続することにより行うものである。以下、更に詳細に説明する。
【００１１】
前記軒先梁設置金具９を前記トラス１の軒先側の端部に設置する際には、前記トラス軒先部４、及び前記トラス１の軒先側の端部に設けられたプレート１０が邪魔となるため、それらを切除する前処理工程が必要となる。この前処理工程の手順を示すのが図２であり、各手順ごとの作業後の状態を表すのが図３、及び図４である。
【００１２】
手順１では、前記トラス軒先部４を切除している。これは、前記トラス軒先部４を適宜に短くしておくことにより、後の作業を行い易くするためである。ここで、図３（ａ）は、この手順の作業前の状態を、図３（ｂ）は作業後の状態を表している。尚、切断に用いる工具としては、例えばレシプロソー（不図示）を用いることができ、後述する切断作業についても同様である。
【００１３】
手順２では、前記トラス１の軒先側の端部に、軒先に面して設けられている断面略逆Ｌ字型の前記プレート１０を取り除くために、該プレート１０と前記トラス１との接合面に沿うように、前記トラス軒先部４と共に、鉛直方向に切断している。このとき、前記プレート１０と前記トラス１との溶接部を避け、前記プレート１０と前記トラス１との接合面より若干内側で切断すると切断し易い。ここで、図３（ｃ）は、この手順の作業後の状態を表している。
【００１４】
手順３では、前記トラス軒先部４を、前記トラス１のＣ型チャンネル１１先端部より若干軒先側において、前記トラス１のウエブ１２に達するまで切断している。これは、前記軒先梁設置金具９を設置するのに邪魔となる部分を除去するためである。ここで、図３（ｄ）は、この手順の作業後の状態を表している。
【００１５】
手順４では、前記プレート１０の下部を軒先側から水平方向に切断することにより、前記プレート１０を前記トラス１から切り離している。ここで、図４（ａ）は、この手順の作業後の状態を表している。
【００１６】
手順５では、例えば、サンダー（不図示）等の工具を用いて研磨することにより、手順４において前記トラス１の下部に残った前記プレート１０の残片を取り除いている。これにより、前記軒先梁設置金具９の該部位への納まりが良くなる、という利点がある。ここで、図４（ｂ）は、この手順の作業後の状態を表している。
【００１７】
手順６では、軒先側から前記トラス１の前記ウエブ１２の傾斜に沿って、手順３において切断した位置まで、前記トラス１と前記トラス軒先部４との接合面を切断し、前記トラス軒先部４の軒先側部を除去している。ここで、図４（ｃ）は、この手順の作業後の状態を表している。
【００１８】
図５に示す前記軒先梁設置金具９の前記底部８から鉛直方向に立ちあがる、左右１対の前記ウエブ跨ぎ部５は、前記トラス１の前記ウエブ１２の厚さよりも若干広い間隔をおいて略平行に配置されている。前記軒先梁設置金具９の設置に際しては、図６及び図７に示すように、前記ウエブ跨ぎ部５が、前述のような前処理を施した前記トラス１の前記ウエブ１２の軒先側の端部を跨ぐように前記軒先梁設置金具９をあてがい、前記トラス１の前記ウエブ１２の軒先側の端部が前記直交梁接続部７に達するまで前記軒先梁設置金具９を押し込むと共に、前記ウエブ跨ぎ部５に設けたボルト穴１３、及び前記底部８に設けたボルト穴１４において、ボルト締めで前記トラス１、及び軸組１５に固定している。
【００１９】
前記軒先梁設置金具９の両側部に突設された前記軒先梁接続部６は、前記ウエブ跨ぎ部５、及び前記底部８の双方と略９０°の角度をなしており、図８に示すように、該軒先梁接続部６に、Ｈ型鋼である前記軒先梁２のウエブ１６を当接させ、前記軒先梁接続部６に設けられたボルト穴１７においてボルト締めで固定することにより、前記軒先梁２を軒先に沿って設置している。
【００２０】
前記直交梁接続部７は、前記ウエブ跨ぎ部５、及び前記底部８の双方と略９０°の角度をなして設けられ、軒先側面が平坦面に形成されている。これにより、前記軒先梁設置金具９を設置したときに、該直交梁接続部７の平坦面が軒先に面し、図７、及び図８に示すように、この平坦面に、Ｈ型鋼である前記直交梁３の一端部を、接合板１８を介して接合させ、前記直交梁接続部７に設けられたボルト穴１９においてボルト締めで固定することにより、前記直交梁３を容易に設置することができる。
【００２１】
また、軒先側に葺き下ろし梁２０を設けて増築する場合も、既存住宅の桁側面の軒先に沿って、前記軒先梁２の新たな設置が必要となる。この場合、前記トラス軒先部４の前処理、前記軒先梁設置金具９の配設、及び前記軒先梁２の設置については前記直交梁３の設置の場合と同様の手順で行い、図９に示すように、前記直交梁接続部７に前記葺き下ろし梁２０の基部２１を接合させ、ボルト締めにより固定するとよい。
【００２２】
次に、本発明の第２の実施形態に係る軒先梁設置工法について説明する。この実施形態は、図１に示すように、既存住宅の桁側面の軒先に沿って、既存の前記トラス１の一側方に前記軒先梁２を設置し、且つ、増築部側に該軒先梁２と直交する方向へ前記直交梁３を設置する必要がある場合の軒先梁設置工法であって、第１の実施形態と同様の手順で前記トラス軒先部４に前処理を施し、図１０（ａ）に示すような、ウエブ跨ぎ部２２と、軒先梁接続部２３と、直交梁接続部２４と、底部２５を有する軒先梁設置金具２６、又は、図１０（ｂ）に示すような、ウエブ跨ぎ部２７と、軒先梁接続部２８と、直交梁接続部２９と、底部３０を有する軒先梁設置金具３１を、相隣接する前記トラス１の軒先側の端部に、前記軒先梁接続部２３、又は２８を相対向させてそれぞれ配設し、相対向する前記軒先梁接続部２３又は２８に、前記軒先梁２の両端部を接続することにより行うものである。以下、更に詳細に説明する。
【００２３】
前記ウエブ跨ぎ部２２、及び前記ウエブ跨ぎ部２７は、第１の実施形態の前記軒先梁設置金具９の前記ウエブ跨ぎ部５と同様の形状を有しており、前記トラス１の軒先側の端部への設置方法は第１の実施形態と同様である。
【００２４】
前記軒先梁設置金具２６の右側部に設けられた前記軒先梁接続部２３は、前記ウエブ跨ぎ部２２、及び前記底部２５の双方と略９０°の角度をなしており、図１１に示すように、該軒先梁接続部２３に、Ｈ型鋼である前記軒先梁２のウエブ１６を当接させ、前記軒先梁接続部２３に設けられたボルト穴３２においてボルト締めで固定することにより、軒先に沿って前記軒先梁２を設置している。また、前記軒先梁設置金具３１は、その左側部に前記軒先梁接続部２８を有しており、それ以外の構造、及び前記軒先梁２の接続方法は前記軒先梁接続金具２６と同様である。以上２つの前記軒先梁設置金具２６と前記軒先梁設置金具３１は、前記トラス１と、新たに追加する前記軒先梁２との位置関係に応じて使い分けるとよい。
【００２５】
前記直交梁接続部２４、及び前記直交梁接続部２９は、第１の実施形態の前記軒先梁設置金具９の前記直交梁接続部７と同一の形状を有し、第１の実施形態と同様の手順により、前記直交梁３、又は前記葺き下ろし梁２０を増築部側に設置することができる。
【００２６】
次に、本発明の第３の実施形態に係る軒先梁設置工法について説明する。この実施形態は、図１に示すように、既存住宅の桁側面の軒先に沿って、既存の前記トラス１の両側方に前記軒先梁２を設置し、且つ、増築部側に前記軒先梁２と直交する方向へ前記直交梁３を設置する必要がない場合の軒先梁設置工法であって、図１２に示すように、前記トラス軒先部４に前処理を施した後、図１３に示すような、傾斜部３３と、補強板３４を有する蓋部材３５と、軒先梁接続部３６と、傾斜部３７と、ウエブ接合部３８と、底部３９を有する左右１対の羽根部材４０とを具備する軒先梁設置金具４１を、相隣接する前記トラス１の軒先側の端部に、突設された前記軒先梁接続部３６を相対向させてそれぞれ配設し、相対向するこれら軒先梁接続部３６に、前記軒先梁２の両端部を接続することにより行うものである。以下、更に詳細に説明する。
【００２７】
本実施形態の場合、前記トラス軒先部４に施す前処理として、図１２に示すように、前記トラス軒先部４を、軒先より若干増築部側の位置で切断し、軒先側部を除去している。これは、本実施形態では、増築部側に前記直交梁３を設ける必要がないため、前記トラス軒先部４が、増築部側に若干突出した状態で残っていても、邪魔とならないからである。もちろん、この場合、第１の実施形態の手順で前処理を施し、前記軒先梁設置金具９を設置しても構わないが、本実施形態のように、前処理を簡素化して、前記軒先梁設置金具４１を用いた方が作業能率を向上できる、という利点がある。
【００２８】
図１３に示す前記羽根部材４０は、その一側方に伸びる前記軒先梁接続部３６を有し、該軒先梁接続部３６は、前記底部３９と、前記ウエブ接合部３８の双方に略９０°の角度をなしている。前記軒先梁２の接続に際しては、前記軒先梁接続部３６に、図１４に示すように、Ｈ型鋼である前記軒先梁２のウエブ１６を当接させ、前記軒先梁接続部３６に設けられたボルト穴４２において、ボルト締めで固定することにより、前記軒先梁２を軒先に沿って設置している。
【００２９】
前記蓋部材３５は、前記羽根部材４０各々をその上部において連結し、一体化する役割を果たしており、前記羽根部材４０の、外部からの力の作用に対するぐらつき、脱落等を防止するために設けられている。また、図１３に示すように、前記蓋部材３５の構造上の弱さを補強するために、その内部に前記補強板３４を設けている。
【００３０】
前記羽根部材４０の前記傾斜部３７と、前記蓋部材３５の前記傾斜部３３は、その傾斜角を等しくしてあり、図１６に示すように、双方を接合し、ボルト締めにより前記羽根部材４０と前記蓋部材３５を固定している。この傾斜角は、本実施形態の場合、前記トラス軒先部４の傾斜角と等しくしている。これにより、前記羽根部材４０を、前記トラス１の軒先側の側部に納まり良く配置することが可能となっている。
【００３１】
前記軒先梁設置金具４１の設置に際しては、図１５、及び図１６に示すように、まず前記羽根部材４０各々を、前記トラス１の軒先側の端部に、前記底部３９が前記トラス１のフランジ４３と接合し、また、前記ウエブ接合部３８が前記トラス１の前記ウエブ１２と接合するよう配設し、前記底部３９に設けたボルト穴４４においてボルト締めで固定する。次に、前記蓋部材３５を前記トラス軒先部４の上方から被せ、前記蓋部材３５の前記傾斜部３３各々を、前記羽根部材４０各々の前記傾斜部３７に接合させる。更に前記蓋部材３５の前記傾斜部３３に設けたボルト穴４５と、前記羽根部材４０各々の前記傾斜部３７に設けたボルト穴４６の位置を合わせた上で、ボルト締めで固定すればよい。
【００３２】
また、本実施形態の軒先梁設置金具４１を設置した場合でも、図１７に示す葺き下ろし梁接続金具４７を用いることにより、軒先側に前記葺き下ろし梁２０を設けて増設することが可能となる。前記葺き下ろし梁接続金具４７は、固定部４８と、蓋部４９と、差し込み部５０を有し、前記蓋部４９を前記トラス軒先部４の上方から被せるように設置し、両端部に設けられた前記固定部４８を、前記軒先梁設置金具４１の前記羽根部材４０の前記傾斜部３７に各々接合させ、ボルト締めにより固定する。更に、前記差し込み部５０を、前記葺き下ろし梁２０を構成する２本のＣ型チャンネル１１の間の隙間に差し込み、ボルト締めにより固定するとよい。
【００３３】
尚、本実施形態では、桁側面の軒先に沿って、前記トラス１の両側方に前記軒先梁２を設置する場合について述べたが、前記トラス１の一側方のみに前記軒先梁２を設置する場合にも、同様の手順で前記軒先梁設置金具４１を設置し、前記羽根部材４０の前記軒先梁接続部３６のいずれか一方を使用しない状態にしておくとよい。この場合、前記羽根部材４０を一方しか設置しないと、前記蓋部材３５が安定せず、ぐらつき、脱落等が発生する可能性があるため、前記羽根部材４０は常に左右一対を揃えた状態で用いるのが好ましい。
【００３４】
以上説明した３つの実施形態のいずれの場合についても、前記軒先梁２の設置に際しては、図１８に示すように、トラス１―トラス１間、トラス１―隅木梁５１間、トラス１―登り梁５２間、あるいは登り梁５２―隅木梁５１間のいずれの場所に設置するのかにより、また、前記トラス１の軒先側の端部に設置する金具が、第１乃至３のいずれの実施形態のものなのかにより、前記軒先梁２の長手方向寸法、及び端部の形状を適宜変更する必要がある。
【００３５】
特に、前記軒先梁２の一端側に既存の前記隅木梁５１がある場合には、前記軒先梁２の前記隅木梁５１側の端部に隅木梁接続梁５３を設けることにより、前記軒先梁２が前記隅木梁５１に接触することを防止している。
【００３６】
前記隅木梁接続梁５３は、図１９に示すように、垂直板５４と、該垂直板５４の上端縁に固定され、前記垂直板５４と直交する上面板５５と、前記垂直板５４の下端縁に固定され、前記垂直板５４と直交する底面板５６と、該底面板５６上に固定され、内部が空洞である略直方体形状を有する箱部５７と、前記箱部５７の内部に設けられた補強板５８とを有しており、図２１に示すように、前記上面板５５、前記底面板５６、及び前記垂直板５４の端部が接合板５９を介して前記軒先梁２に固定されると共に、前記箱部５７の底面に設けたボルト穴６０において、ボルト締めで前記軸組１５に固定されている。
【００３７】
前記上面板５５、及び前記垂直板５４は、略長方形の平板の一部を斜めに切り落とした形状となっている。これにより、前記上面板５５、及び垂直板５４が、前記隅木梁接続梁５３の斜め上方から斜め下方へと伸びる前記隅木梁５１と接触することを防止している。
【００３８】
前記隅木梁５１と前記隅木梁接続梁５３との接続部分において、増築部側に前記葺き下ろし梁２０を設けて増築する必要がある場合、図２０に示すように、前記箱部５７の増築部側側面に、前記葺き下ろし梁２０の基部２１を接合させ、前記箱部５７の増築部側側面に設けたボルト穴６１において、ボルト締めにより固定すればよい。また、前記葺き下ろし梁２０を接続しない場合には、前記箱部５７の増築部側側面は平坦面である必要は無く、前記箱部５７の形状は、中空の略直方体に限られず、他の形状であっても構わない。
【００３９】
また、図１８に示すように、前記軒先梁２の一端部を登り梁５２に接続する必要がある場合には、既存の登り梁接続金具６２等を用いて接続すればよい。
【００４０】
次に、本発明の第４の実施形態に係る軒先梁設置工法について説明する。この実施形態は、図２２に示すように、第１の実施形態と同様、既存住宅の桁側面の軒先に沿って、既存の前記トラス１の両側方に前記軒先梁２を設置し、且つ、増築部側に前記軒先梁２と略直交する方向へ前記直交梁３を設置する必要がある場合の軒先梁設置工法であって、前記トラス軒先部４への前処理の作業を低減し、また鉛直上方へ登り梁束（不図示）を設置することを可能とするものである。本実施形態に係る軒先梁設置工法では、図１２に示すように、前記トラス軒先部４に前処理を施した後、図２３乃至図２５に示すような、軒先梁接続部６３と、ウエブ接合部６４と、底部６５と、補強板６６を有する左右一対の羽根部材６７と、直交梁接続部６８と、羽根部材接続部６９と、登り梁束接続部７０と、補強板７１を有する直交梁接続部材７２と、左右一対の固定部７３と、登り梁束固定部７４を有する登り梁束接続部材７５とを具備する軒先梁設置金具７６を相隣接する前記トラス１の軒先側の端部に、突設された前記軒先梁接続部６３を相対向させてそれぞれ配設し、相対向するこれら軒先梁接続部６３に、前記軒先梁２の両端部を接続することにより行うものである。以下、更に詳細に説明する。
【００４１】
本実施形態の場合、前記トラス軒先部４に施す前処理として、図１２に示すように、第３の実施形態と同様に、前記トラス軒先部４を、軒先より若干増築部側の位置で切断し、軒先側部を除去している。これは、本実施形態では、前記直交梁接続部材７２を用いることにより、前記トラス軒先部４が、増築部側に若干突出した状態で残っていても、前記直交梁３を設置することを可能としているからである。これにより、手間のかかる前処理作業を簡素化して、作業能率を向上させることができるという利点がある。
【００４２】
図２３に示す前記羽根部材６７は、その一側方に伸びる前記軒先梁接続部６３を有し、該軒先梁接続部６３は、前記底部６５と、前記ウエブ接合部６４の双方に略９０°の角度をなしている。また、前記軒先梁接続部を構造的に補強するために、略三角形の前記補強板６６が設けられている。ここで、前記軒先梁２の接続に際しては、図２６に示すように、前記軒先梁接続部６３に、Ｈ型鋼である前記軒先梁２のウエブ１６を当接させ、前記軒先梁接続部６３に設けられた６つのボルト穴のうち、外側に位置する４つのボルト穴７７において、ボルト締めで固定することにより、前記軒先梁２を軒先に沿って設置している。
【００４３】
図２４に示す前記直交梁接続部材７２は、図２７に示すように、増築部側に若干突出した状態で残った前記トラス軒先部４の先端部分を覆うように配設され、増築部側に面する前記直交梁接続部６８は平坦面に形成している。この平坦面にＨ型鋼である前記直交梁３の一端部を、接合板１８を介して接合させ、前記直交梁接続部６８に設けられた６つのボルト穴７８においてボルト締めで固定することにより、前記直交梁３を設置している。
【００４４】
また、前記直交梁接続部材７２の両端部に設けられた前記羽部材接続部６９は平坦面に形成してあり、図２７に示すように、該羽根部材接続部６９を、一対の前記羽根部材６７の前記軒先梁接続部６３各々に当接させ、前記羽部材接続部６９に設けた２つのボルト穴７９と、前記羽根部材６７の前記軒先梁接続部６３に設けた６つのボルト穴のうち、内側に位置する２つのボルト穴８０に合わせた上で、ボルト締めにより固定する。これにより、前記直交梁接続部材７２を、その両端部において前記羽根部材６７各々に固定している。
【００４５】
前記直交梁接続部材７２の前記登り梁束接続部７０には、図２５に示すように、切欠き８１が設けてあり、図２７に示すように、前記直交梁接続部材７２を配設する際に、前記登り梁束接続部７０が、斜めに伸びる前記トラス軒先部４の長手方向中間部と接触することを防止している。また、前記直交梁接続部材７２の内部には前記補強板７１を設けているが、該補強板７１が、前記トラス軒先部４の先端部分と接触しないよう、前記補強板７１には前記トラス軒先部４の先端部分の形状に合わせたカットが施されている。
【００４６】
前記登り梁束接続部材７５は、図示しないが、新規大棟に向かって伸びる登り梁を支える登り梁束の一端部を前記軒先梁設置金具７６に接続するためのものであり、図２５に示すように、その中央部に位置する平部８２には、２枚のプレート８３を介して、鉛直上方に伸びる前記Ｃ型チャンネル１１である、前記登り梁束固定部７４が配設されている。この登り梁束接続部材７５の両端部に設けられた前記固定部７３を、図２７に示すように、前記直交梁接続部材７２の前記登り梁束接続部７０上に載置した上でボルト締めにより固定し、前記登り梁束の一端部を前記登り梁束固定部７４に固定することにより、前記登り梁束の接続が可能となっている。
【００４７】
次に、本発明の第５の実施形態に係る軒先梁設置工法について説明する。この実施形態は、図２２に示すように、入隅部において、既存住宅の桁側面の軒先に沿って、既存の前記トラス１の一側方に前記軒先梁２を設置し、且つ、増築部側に前記軒先梁２と略直交する方向へ前記直交梁３を設置する必要がある場合であって、更に、入隅部を形成できるよう、谷木梁８４の一端部、及び腕木入隅８５の一端部を受け入れることを可能とするものである。本実施形態に係る軒先梁設置工法では、図２８に示すように、前記トラス軒先部４に前処理を施した後、図２３に示すような、前記軒先梁接続部６３と、前記ウエブ接合部６４と、前記底部６５と、前記補強板６６を有する左右一対の前記前記羽根部材６７と、図２９に示すような、直交梁接続部８６と、羽根部材接続部８７と、谷木梁接続部８８と、腕木入隅接続部８９と、補強板９０を有する直交梁接続部材９１と、平部９２と、立部９３を有する谷木梁プレート９４とを具備する軒先梁設置金具９５を相隣接する前記トラス１の軒先側の端部に、突設された前記軒先梁接続部６３を相対向させてそれぞれ配設し、相対向するこれら軒先梁接続部６３に、前記軒先梁２の両端部を接続することにより行うものである。以下、更に詳細に説明する。
【００４８】
本実施形態の場合、前記トラス軒先部４に施す前処理として、図２８に示すように、前記トラス軒先部４を、軒先より若干増築部側の位置で切断して軒先側部を除去し、更に、前記トラス軒先部４が前記直交梁接続部材９１の前記谷木梁接続部８８に接触しないよう、前記トラス軒先部４と前記トラス１との接合面より若干上部において、前記トラス軒先部４をその傾斜に沿って切除している。この場合、前記トラス軒先部４と前記トラス１の接合面に沿って切除する場合に比べて、作業が容易であり、作業時間を短縮できるという利点がある。
【００４９】
図２３に示す前記羽根部材６７は、第４の実施形態の前記羽根部材６７と同様の形状のものを用い、前記軒先梁２の接続方法についても第４の実施形態と同様の手順で行っている。
【００５０】
前記直交梁接続部材９１は、図２９に示すように、前記直交梁接続部８６、及び前記羽根部材接続部８７については第４の実施形態の前記直交梁接続部材７２の前記直交梁接続部６８、及び前記羽根部材接続部６９と同様の形状を有しており、前記直交梁３の接続方法、及び前記羽根部材６７への固定方法についても第４の実施形態と同様である。
【００５１】
前記直交梁接続部材９１の前記谷木梁接続部８８は、第４の実施形態の前記直交梁接続部材７２の前記登り梁接続部７０と異なり、前記切欠き８１は設けられておらず、前記谷木梁接続部８８上には８個のボルト穴９６が設けられている。これにより、図３１に示すように、前記谷木梁プレート９４の前記平部９２を前記谷木梁接続部８８上に載置して前記ボルト穴９６においてボルト締めで固定することが可能となっている。
【００５２】
前記谷木梁プレート９４は、図３０に示すように、略五角形の前記平部９２と、該平部９２の略中央部から立上がる前記立部９３を有している。ここで、前記谷木梁８４は、２本のＣ型チャンネル１１をその開口部が互いに外側を向くようにボルト締めで固定したものであって、２本の前記Ｃ型チャンネル１１の間の隙間に前記谷木梁プレート９４の前記立部９３を差し込み、前記立部９３に設けられたボルト穴９７においてボルト締めで固定している。更に、前記谷木梁プレート９４の前記平部９２を、前記直交梁接続部材９１の前記谷木梁接続部８８上に略４５°の角度をなすように載置し、前記平部９２に設けた前記ボルト穴９８と前記谷木梁接続部８８上に設けた前記ボルト穴９６とを合わせた上でボルト締めにより固定している。これにより、桁方向と略４５°の角度をなして設置される前記谷木梁８４の一端部を、前記軒先梁設置金具９５に接続している。
【００５３】
前記直交梁接続部材９１の両端部に設けられた前記腕木入隅接続部８９は、平坦面に形成されており、図２２に示すように、入隅部において桁方向と略４５°の角度をなして設置される前記腕木入隅８５の略Ｌ字型の一端部を、図３１に示すように、前記腕木入隅接続部８９に接合させ、前記腕木入隅接続部８９に設けられたボルト穴９９においてボルト締めにより固定している。これにより、前記腕木入隅８５の一端部を前記軒先梁設置金具９５に接続している。
【００５４】
以上により、本実施形態の軒先梁設置工法に係る軒先梁設置金具９５を用いることにより、前記トラス１の一側方に前記軒先梁２を設置し、且つ、増築部側に前記軒先梁２と略直交する方向へ前記直交梁３を設置することができると共に、前記谷木梁８４の一端部、及び前記腕木入隅８５の一端部を接続することができ、入隅部を形成することが可能となっている。
【００５５】
【発明の効果】
以上説明したように、請求項１の発明によれば、小屋組のトラスの一端側から斜め下方にトラス軒先部が延設された住宅の桁側面への増築工事で、既存住宅の桁側面の軒先に沿って軒先梁を新たに追加する必要がある場合に、既存住宅の前記軒先梁を追加する桁側面のトラス軒先部の軒先側部を切除し、相隣接するトラスの軒先側の端部に、前記トラスのウエブに接合するウエブ接合部と該ウエブ接合部から直角方向に突設された軒先梁接続部とを有する羽根部材と、上方へ設置する登り梁束の一端部を固定するための登り梁束固定部を有する登り梁束接続部材と、増築部側へ設置する直交梁の一端部を固定するための直交梁接続部と、前記登り梁束接続部材を固定するための登り梁束接続部とを有する直交梁接続部材とを具備する軒先梁設置金具を前記軒先梁接続部を相対向させてそれぞれ配設し、相対向するこれら軒先梁接続部に、軒先梁の両端部を接続することにより、既存住宅の小屋組や軒裏等を全面的に解体することなく、容易に軒先梁を設置することが可能となる。
【００５６】
また、軒先梁の設置に加えて、増築部側へ直交梁を設置することが可能になると共に、鉛直上方へ登り梁束を設置することが可能となる。
【００５７】
更に、直交梁を設置する場合も、多大な労力と時間を要するトラス軒先部への前処理工程を簡易化することができ、作業効率を向上させることが可能となる。
【００５８】
また、既存住宅の小屋組や軒裏等の全面的な解体が不要となることで、省力化、及び施工期間の大幅な短縮を図ることができると共に、従来、産業廃棄物として処理していた、解体時に生じる不要なトラスが発生しなくなることで、処理に要するコストを削減することが可能となる。
【００５９】
請求項２の発明によれば、小屋組のトラスの一端側から斜め下方にトラス軒先部が延設された住宅の桁側面への増築工事で、既存住宅の桁側面の軒先に沿って軒先梁を新たに追加する必要がある場合に、既存住宅の前記軒先梁を追加する桁側面のトラス軒先部を切除し、相隣接するトラスの軒先側の端部に、前記トラスのウエブに接合するウエブ接合部と該ウエブ接合部から直角方向に突設された軒先梁接続部とを有する羽根部材と、新規に設置される谷木梁の一端部に固定される谷木梁プレートと、増築部側へ設置する直交梁の一端部を固定するための直交梁接続部と、前記谷木梁プレートを固定するための谷木梁接続部と、入隅部へ向かって設置する腕木入隅の一端部を固定するための腕木入隅接続部とを有する直交梁接続部材とを具備する軒先梁設置金具を前記軒先梁接続部を相対向させてそれぞれ配設し、相対向するこれら軒先梁接続部に、軒先梁の両端部を接続することにより、既存住宅の小屋組や軒裏等を全面的に解体することなく、容易に軒先梁を設置することが可能となる。
【００６０】
また、軒先梁の設置に加えて、増築部側へ直交梁を設置することが可能になると共に、新規な谷木梁の一端部、及び腕木入隅の一端部を固定することができ、入隅部を形成することが可能となる。
【００６１】
更に、直交梁を設置する場合も、多大な労力と時間を要するトラス軒先部への前処理工程を簡易化することができ、作業効率を向上させることが可能となる。
【００６２】
また、既存住宅の小屋組や軒裏等の全面的な解体が不要となることで、省力化、及び施工期間の大幅な短縮を図ることができると共に、従来、産業廃棄物として処理していた、解体時に生じる不要なトラスが発生しなくなることで、処理に要するコストを削減することが可能となる。
【図面の簡単な説明】
【図１】本発明の実施の形態に係る小屋組の屋根伏せを示す図。
【図２】本発明の第１の実施形態に係るトラス軒先部への前処理の流れの説明図。
【図３】本発明の第１の実施形態に係るトラス軒先部への前処理の各手順ごとの説明図。
【図４】本発明の第１の実施形態に係るトラス軒先部への前処理の各手順ごとの説明図。
【図５】本発明の第１の実施形態に係る軒先梁設置金具の概略斜視図。
【図６】本発明の第１の実施形態に係る軒先梁設置金具の設置方法を説明するための概略斜視図。
【図７】本発明の第１の実施形態に係る軒先梁設置金具の設置状態を示す概略側面図。
【図８】本発明の第１の実施形態に係る軒先梁設置金具と軒先梁の接続部分を示す概略平面図。
【図９】本発明の第１の実施形態に係る軒先梁設置金具と葺き下ろし梁の接続部分を示す概略側面図。
【図１０】本発明の第２の実施形態に係る軒先梁設置金具の概略斜視図。
【図１１】本発明の第２の実施形態に係る軒先梁設置金具と軒先梁の接続部分を示す概略平面図。
【図１２】本発明の第２の実施形態に係るトラス軒先部への前処理の説明図。
【図１３】本発明の第３の実施形態に係る軒先梁設置金具の概略斜視図。
【図１４】本発明の第３の実施形態に係る軒先梁設置金具と軒先梁の接続部分を示す概略平面図。
【図１５】本発明の第３の実施形態に係る軒先梁設置金具の設置方法を説明するための概略斜視図。
【図１６】本発明の第３の実施形態に係る軒先梁設置金具の設置状態を示す概略側面図。
【図１７】本発明の第３の実施形態に係る葺き下ろし梁設置金具を用いた葺き下ろし梁の設置状態を示す概略側面図。
【図１８】本発明の実施形態に係るトラス、隅木梁、及び登り梁と、軒先梁の接続部分について説明するための概略平面図。
【図１９】本発明の実施形態に係る隅木梁接続梁の概略斜視図。
【図２０】本発明の実施形態に係る隅木梁接合梁と葺き下ろし梁の接合部分を示す概略平面図。
【図２１】本発明の実施形態に係る隅木梁接合梁と隅木梁の接合部分を示す概略斜視図。
【図２２】本発明の第４、第５の実施形態に係る小屋組の屋根伏せを示す図。
【図２３】本発明の第４、第５の実施形態に係る羽根部材の概略斜視図。
【図２４】本発明の第４の実施形態に係る直交梁接続部材の概略斜視図。
【図２５】本発明の第４の実施形態に係る登り梁束接続部材の概略斜視図。
【図２６】本発明の第４の実施形態に係る軒先梁設置金具の設置状態を示す概略平面図。
【図２７】本発明の第４の実施形態に係る軒先梁設置金具の設置状態を示す概略側面図。
【図２８】本発明の第５の実施形態に係るトラス軒先部への前処理の流れの説明図。
【図２９】本発明の第５の実施形態に係る直交梁接続部材の概略斜視図。
【図３０】本発明の第５の実施形態に係る谷木梁プレートの概略斜視図。
【図３１】本発明の第５の実施形態に係る軒先梁設置金具の設置状態を示す概略平面図。
【符号の説明】
１　トラス
２　軒先梁
３　直交梁
４　トラス軒先部
１２　ウエブ
６３　軒先梁接続部
６４　ウエブ接合部
６７　羽根部材
６８、８６　直交梁接続部
７０　登り梁束接続部
７２　直交梁接続部材
７４　登り梁束固定部
７５　登り梁束接続部材
７６、９５　軒先梁設置金具
８４　谷木梁
８５　腕木入隅
８８　谷木梁接続部
８９　腕木入隅接続部
９４　谷木梁プレート
【図１】
2004060394.tif 000003
【図２】
2004060394.tif 000004
【図３】
2004060394.tif 000005
【図４】
2004060394.tif 000006
【図５】
2004060394.tif 000007
【図６】
2004060394.tif 000008
【図７】
2004060394.tif 000009
【図８】
2004060394.tif 000010
【図９】
2004060394.tif 000011
【図１０】
2004060394.tif 000012
【図１１】
2004060394.tif 000013
【図１２】
2004060394.tif 000014
【図１３】
2004060394.tif 000015
【図１４】
2004060394.tif 000016
【図１５】
2004060394.tif 000017
【図１６】
2004060394.tif 000018
【図１７】
2004060394.tif 000019
【図１８】
2004060394.tif 000020
【図１９】
2004060394.tif 000021
【図２０】
2004060394.tif 000022
【図２１】
2004060394.tif 000023
【図２２】
2004060394.tif 000024
【図２３】
2004060394.tif 000025
【図２４】
2004060394.tif 000026
【図２５】
2004060394.tif 000027
【図２６】
2004060394.tif 000028
【図２７】
2004060394.tif 000029
【図２８】
2004060394.tif 000030
【図２９】
2004060394.tif 000031
【図３０】
2004060394.tif 000032
【図３１】
2004060394.tif 000033